(57)【要約】【課題】外刃の揺動角度範囲を大きくして皮膚への密着性を向上させ、外刃の利用効率を向上させ、刃ヘッド部を大型化する。【解決手段】モータを内蔵する本体部１０の上部に保持された略円盤状の複数の外刃１４と、各外刃１４に下方から係合しモータによって回転駆動される内刃１６とを備え、外刃１４に設けた髭導入孔に入った髭を内刃１６によって切断するロータリー式電気かみそりにおいて、外刃１４を沈み込み可能に保持する略円筒状の刃枠１８が各外刃１４ごとに別々に本体部１０の上面に揺動自在に保持されている。【選択図】図１
2007151925.tif 000002
【特許請求の範囲】
【請求項１】
モータを内蔵する本体部の上部に保持された略円盤状の複数の外刃と、各外刃に下方から係合し前記モータによって回転駆動される内刃とを備え、前記外刃に設けた髭導入孔に入った髭を前記内刃によって切断するロータリー式電気かみそりにおいて、
前記外刃を沈み込み可能に保持する略円筒状の刃枠が各外刃ごとに別々に前記本体部の上面に揺動自在に保持されていることを特徴とするロータリー式電気かみそり。
【請求項２】
刃枠は本体部の上面に突設した支持部に保持されている請求項１のロータリー式電気かみそり。
【請求項３】
各刃枠は平面視で本体部の中心と各刃枠に保持された外刃の中心とを通る直線に直交しかつ外刃の中心を通る直線を中心にして揺動可能である請求項１のロータリー式電気かみそり。
【請求項４】
３つの外刃およびこれらを保持する３つの刃枠が、平面視で本体部の上面に正三角形の頂点となる位置に配設されている請求項３のロータリー式電気かみそり。
【請求項５】
本体部上面には各内刃を弾性的に押上げつつ回転駆動する駆動軸が突出し、外刃には内刃を介してこの駆動軸によって上向きの復元力が付与されている請求項１のロータリー式電気かみそり。
【請求項６】
刃枠と本体部上面との間に前記刃枠を直立位置に復帰させるばねが装着されている請求項１のロータリー式電気かみそり。
【請求項７】
刃枠には外刃を上向きに付勢するばねが装着されている請求項１のロータリー式電気かみそり。
【発明の詳細な説明】
【技術分野】
【０００１】
この発明は、モータを内蔵する本体部の上部に外刃を保持し、この外刃の内面に内刃を弾接しつつ回転させることによって、外刃の髭導入孔に入った髭を内刃で切断するロータリー式電気かみそりに関するものである。
【背景技術】
【０００２】
この種の電気かみそりにおいて、外刃と皮膚との密着性を向上させるために、外刃を沈み込み可能にすることが公知である。すなわち本体部に固定した外刃枠に外刃装着孔を形成し、ここに外刃を下方から装填し、外刃を弾性的に上向きに押上げるものである。
【０００３】
通常内刃を回転駆動する駆動軸に圧縮コイルばねを組付け、この圧縮コイルばねによって駆動軸に上向きの復帰習性を付与し、この駆動軸の上向きの復元力によって内刃を外刃に弾接させ、外刃に上向きの復元力を付与している。このため外刃は押下げ可能であると共に、外刃枠の外刃装着孔と外刃の外周との間隙の範囲内で揺動可能である。
【０００４】
外刃枠に対して外刃を揺動可能にするものでは、外刃の揺動角度範囲が小さくなり、特に皮膚表面の凹凸の曲率が小さい場合に外刃と皮膚との密着性が不十分になる。また皮膚が外刃の全面に密着できない場合は外刃の利用効率が悪くなり、剃り味が低下することになる。
【０００５】
外刃の外刃枠に対する揺動許容角度を大きくすることによりこの問題を解決することも考えられるが、この場合は外刃の周縁が皮膚に鋭角的に当たることになり、外刃の周縁に対する皮膚の接触圧が大きくなる。このため外刃の髭導入孔に皮膚が入り込み、過度に深剃りとなったり髭剃り後にヒリヒリ感が残る、という問題が生じる。
【０００６】
【特許文献１】特表平９−５０３４２４
【０００７】
特許文献１は、外刃と外刃枠との間に皮膚支持リムを介在させ、この皮膚支持リムを外刃枠に対して揺動可能にするものを提案している。すなわち外刃の外周を皮膚支持リムで囲み、この皮膚支持リムを外刃と共に揺動させることにより、外刃が傾いた時に皮膚が外刃の外周縁に深く喰い込むのを皮膚支持リムによって防ぐものである。
【０００８】
この場合に３つの外刃をそれぞれ別々の皮膚支持リムで囲み、これら３つの皮膚支持リムは、本体部に固定された１つの外刃枠に保持されている。すなわち皮膚支持リムには本体部上面の中央を通る放射方向の直線に対して対称な位置に外径方向に突出する一対の突起を設け、これらの突起を外刃枠に係止するものである。従って皮膚支持リムはこれら一対の突起を通る直線を中心にして本体部上面の中央側と外側とに向かって揺動するものである。また３つの皮膚支持リムは互いにヒンジで連結されて連動するものである。
【発明の開示】
【発明が解決しようとする課題】
【０００９】
この皮膚支持リムを外刃枠の内側で揺動可能にしたものでは、３つの皮膚支持リムがヒンジで連動するため、１つの皮膚支持リムが本体部中央側へ傾くと他の２つの皮膚支持リムも本体部中央側へ傾くことになる。このため皮膚の凹凸に全ての外刃を忠実に追随させることができず、剃り味が悪くなるという問題があった。また皮膚支持リムの外周に設けた突起と、外刃枠の内周（皮膚支持リムを囲む部分の内周）とを係合させるために、外刃枠の外径が大きくなる。このため本体部の上部に取付られる刃ヘッド部が大型化し、特に複数の外刃を有する場合に電気かみそり全体が大きくなるという問題がある。
【００１０】
この発明はこのような事情に鑑みなされたものであり、外刃の揺動角度範囲を大きくして皮膚への密着性を向上させ、外刃の利用効率を向上させる一方、刃ヘッド部が大型化するのを防いで電気かみそりの小型化に適するロータリー式電気かみそりを提供することを目的とする。
【課題を解決するための手段】
【００１１】
この発明によればこの目的は、モータを内蔵する本体部の上部に保持された略円盤状の複数の外刃と、各外刃に下方から係合し前記モータによって回転駆動される内刃とを備え、前記外刃に設けた髭導入孔に入った髭を前記内刃によって切断するロータリー式電気かみそりにおいて、前記外刃を沈み込み可能に保持する略円筒状の刃枠が各外刃ごとに別々に前記本体部の上面に揺動自在に保持されていることを特徴とするロータリー式電気かみそり、により達成される。
【発明の効果】
【００１２】
各外刃はそれぞれ独立した刃枠に沈み込み可能に保持し、各刃枠を本体部に直接揺動可能に保持することにより各刃枠が独立した動作をするようにしたものであるから、外刃の本体部に対する揺動角度範囲が大きくなる。このため外刃の皮膚に対する密着性が増大し、外刃の利用効率が向上し、髭の切れ味が向上する。また刃枠は本体部に直接保持されるので刃ヘッド部を小型化でき、電気かみそりの小型化に適する。
【発明を実施するための最良の形態】
【００１３】
各刃枠は本体部の上面に突設した支持部に保持することができ、この場合は刃枠の保持部分が極めて小さくなり、刃ヘッド部の小型化に適するものである（請求項２）。刃枠は平面視で（内刃の回転中心軸線方向から見て）、本体部の中心と外刃の中心とを通る直線に対して直交しかつ外刃の中心を通る直線を中心にして揺動可能にするのが望ましい（請求項３）。この場合には外刃は本体部上面の中心側および外周側に大きく揺動することになるので、各外刃は皮膚の凹凸に良好に追従できる。
【００１４】
３つの外刃を有する場合には、これらの中心を本体部上面に平面視で正三角形の頂点となる位置に配設するのがよい（請求項４）。外刃および刃枠には、内刃によって弾性的に押上げ方向の復元力を付与することができる。すなわち内刃の駆動軸が内刃を上向きに弾性的に押上げる構造として、この駆動軸によって内刃を介して外刃および刃枠に上向きの復元力を付与することができる（請求項５）。
【００１５】
なお刃枠と本体部上面との間に、刃枠を直立位置に復元させる刃枠復帰ばねを設けてもよいし（請求項６）、刃枠に外刃を上向きに付勢する外刃復帰ばねを設けておいてもよい（請求項７）。このように刃枠、外刃を内刃の駆動軸の復元力とは別に設けたばねで別々に上向きに付勢すれば、それぞれの復元力を独立に設定することが可能になり、設定自由度が増える。
【実施例１】
【００１６】
図１は本発明の一実施例を一部省いて示す分解斜視図、図２は刃ヘッド部の平面図、図３は刃ヘッド部の外刃を除いた状態を示す平面図、図４は図２におけるIV−IV線断面図、図５は図２におけるＶ−Ｖ線断面図、図６は１つの刃ユニットの揺動軸に沿った拡大側断面図、図７は刃枠復帰ばねの平面図、図８は同じくそのVIII−VIII線断面図である。また図９は使用状態の説明図であり、前記図２におけるＶ−Ｖ線相当位置で断面した図である。
【００１７】
図１において符号１０は本体部、１２はその上部に取り付けられた刃ヘッド部である。この刃ヘッド部１２には、外刃１４，後記する内刃１６，刃枠１８などで形成される刃ユニット２０が３組取付けられている。３つの刃ユニット２０に対応する外刃１４は平面視（図２）でその中心が正三角形の頂点に位置する。
【００１８】
外刃１４は金属板で上方へ凸な略碗状に作られている（図４〜６）。外刃１４の上部は円形であり、この円形部分の中央には円形の開口が形成され、ここに上からキャップ２２が固定されている。キャップ２２の下面には係合孔２４が形成されている。この係合孔２４には後記する内刃１６の先端が係入して内刃１６の軸振れを防いでいる。
【００１９】
外刃１４の円形の上部には、上から見て内刃１６の回転中心となる中心軸線ｘを中心とする１つの環状溝２６が形成され（図６）、この環状溝２６を挟んで内・外一対の環状の薄肉層が形成される。これら薄肉層の上面が皮膚接触面となり、下面が内刃走行溝２８ａ、２８ｂとなる。
【００２０】
外刃１４には、その中心軸線ｘ（図６）から前記薄肉層を横断してほぼ放射方向に多数のスリット状の長い髭導入孔３０（図２）が形成されている。薄肉層上で隣接する髭導入孔３０の間に残ったリブ３２の下面が内刃１６と協働して髭をカットする刃となる。
【００２１】
外刃１４の上面すなわちリブ３２の上面は、図６に示すように中心軸線ｘに直交する（中心軸線ｘが垂線となる）平面上に位置する。すなわちリブ３２の上面は平坦である。
【００２２】
外刃１４の薄肉層の下面（すなわちリブ３２の下面）は、それぞれ内刃走行溝（環状のトラック）２８ａ、２８ｂとなっている。これら内刃走行溝２８ａは下から（内側から）見てその内面（底面）が中心軸線ｘに対して直交する１つの平面ｙに載る面となっている。この平面ｙはリブ３２の下面に一致する。この下面は砥石によって研磨され、リブ３２の下縁に刃が形成されている。
【００２３】
内刃１６は下方に向かって開く樹脂製のボス部３４と、このボス部３４を囲んで周方向に等間隔に固定された多数の刃体３６とを持つ。多数の刃体３６は環状に連結したものであってもよい。刃体３６は上部が二股状に分岐し、これら分岐した部分である２つの小刃３８ａ、３８ｂがそれぞれ内刃走行溝（トラック）２８ａ、２８ｂに下方から摺接する。これら小刃３８ａ、３８ｂの上縁は前記平面ｙに沿って水平に研磨された刃すなわち刃先となる。
【００２４】
図６において、ボス部３４には下方に向かって開く平面視四角形の係合孔４０が形成され、ここに本体１０から突出する駆動軸４２が係合する。この駆動軸４２の上端には四角球状の係合頭部４４が形成され、これがボス部３４の係合孔４０に下から係入する。駆動軸４２は本体部内１０に収容されたモータ（図示せず）により回転駆動され、内刃１６を回転させる。
【００２５】
駆動軸４２は上方へ突出する向きに復帰習性を持ち、内刃１６を上向きに押圧する。このため内刃１６の小刃３８ａ、３８ｂが外刃１４の内刃走行溝２８ａ、２８ｂを下方から弾性的に押圧する。このため外刃１４および内刃１６を含む刃ユニット２０は刃枠１８に対して弾性をもって下方へ沈み込み可能である。すなわち駆動軸４２の上向きの復帰力は、外刃１４を上向きに押す外刃押上げばね荷重の一部となる。
【００２６】
次に刃枠１８を説明する。刃枠１８は略円筒状であり、その上端の内周縁に外刃１４の外周縁に形成したフランジ部１４ａを下方から係合させて外刃１４を下方へ沈み込み可能に保持する。この刃枠１８の下部内周面には外刃押え板４６が下方から係脱可能に取付けられる。すなわち刃枠１８の内周面には下方に開き上部が水平に折曲した複数の縦溝４８が形成される一方、押え板４６の外周にはこれら縦溝４８に係入する突起５０が形成され、これら突起５０を縦溝４８に下方から位置合わせして挿入し僅かに回すことによって突起５０を縦溝４８の上部の水平折曲部に係合させることによって、押え板４６を刃枠１８の内周面に係脱する。この押え板４６の上面と外刃１４の下縁のフランジ部１４ａとの間にコイルばね（外刃押上げばね）５２を縮装し、外刃１４に上向きの復元力を付与する。
【００２７】
本体部１０の上面には、図１〜３に示すように、３本の駆動軸４２を円弧状に囲む略三葉形の起立壁５４が突設されている。３つの刃枠１８はこの起立壁５４の内周面に形成された凸部５６に揺動自在に保持されている。すなわち起立壁５４には駆動軸４２のほぼ対称位置に一対の突起５６，５６を形成し、これら一対の突部５６，５６に刃枠１８の外周に突設した凹部１８ａを係合させる。これら凹部１８ａと凸部５６とで一対の支点５８が形成され、刃枠１８はこれら支点５８を中心に揺動する。
【００２８】
これらの支点５８は、図３に示すように、平面視で本体部１０の中心Ｐと、各刃枠１８に保持される外刃１４の中心ｘ（図６の回転中心軸線ｘと同一）とを通る直線Ｑに直交しかつ中心ｘを通る直線Ｒ（図２）上に位置する。従って直線Ｒは刃枠１８の揺動軸ともなる。刃枠１８の下縁と、本体部１０の上面との間には、刃枠押上げばねとなる環状の板ばね６０が装填されている。
【００２９】
この板ばね６０は図７，８に示すように刃枠１８と略同一外径を持ち、その外周側の４ヶ所が周方向に沿って長く切り起こされている。これら４ヶ所の切り起こし部６２はその自由端が刃枠１８の下縁に当接し、切り起こし部６２の弾性により刃枠１８を上向きに付勢する。なお４つの切り起こし部６２は刃枠１８の揺動軸Ｒに対して対称に形成され、刃枠１８を垂直な起立位置へ復帰させるように付勢する。
【００３０】
このためそれぞれの刃ユニット２０は、揺動軸Ｒを中心にして図４に示すように所定角度範囲内でそれぞれ独立に揺動可能である。従って外刃１４に揺動軸Ｒに対して交わる方向の外力が加わると刃ユニット２０が同方向に揺動し、この時刃枠１８は揺動側の２つの切り起こし部６２を圧縮する。刃ユニット２０に外力が加わらない状態になると、この圧縮されていた２つの切り起こし部６２の復元力によって正立位置（図４，５に示す位置）に復帰する。
【００３１】
外刃１４に回転軸ｘと平行な方向の外力（下向きの外力）が加わると、外刃１４はコイルばね５２と駆動軸４０の上向きの復帰習性力に抗して沈み込む。外力が無くなると外刃１４は元の位置（図４，５，６の位置）に復帰する。
【００３２】
次に図９に基づいて動作を説明する。皮膚６４が滑らかな凸状である場合は、刃ヘッド部１２を皮膚６４に押し付けると、図９（Ａ）に示すように外刃１４が刃枠１８に対して刃ヘッド部１２の中心側へ角度α傾き、刃枠１８が本体部１０の上面に対して角度β傾く。このため外刃１４は本体部１０に対して外側へ角度（α＋β）傾くことができる。このため外刃１４の可動範囲が大きくなり、外刃１４を皮膚６４に密着させ外刃１４の利用効率を高くすることができる。
【００３３】
皮膚６４が滑らかな凹状である場合は、刃ヘッド部１２を皮膚６４に押し付けると、図９（Ｂ）に示すように外刃１４が刃枠１８に対して刃ヘッド部１２の外側へ角度γ傾き、刃枠１８が本体部１０の上面に対して同方向に角度δ傾く。このため外刃１４は本体部１０に対して外側へ角度（γ＋δ）傾く。
【００３４】
皮膚６４が凹凸状である場合は、図９（Ｃ）に示すように外刃１４は皮膚６４の凹凸に対応して適宜の方向に独立に傾き、皮膚６４への密着性を高める。
【図面の簡単な説明】
【００３５】
【図１】本発明の一実施例を一部省いて示す分解斜視図
【図２】刃ヘッド部の明面図
【図３】刃ヘッド部の外刃を除いた状態を示す明面図
【図４】図２におけるIV−IV線断面図
【図５】図２におけるＶ−Ｖ線断面図
【図６】１つの刃ユニットの揺動軸に沿った拡大側断面図
【図７】刃枠復帰ばねの平面図
【図８】同じくそのVIII−VIII線断面図
【図９】使用状態の説明図であり、図２のＶ−Ｖ線相当位置で断面した図
【符号の説明】
【００３６】
１０  本体部
１２  刃ヘッド部
１４  外刃
１６  内刃
１８  刃枠
２０  刃ユニット
４２  駆動軸
５２  コイルばね（外刃押上げばね）
５４  起立壁（支持部）
５８  支点
６０  板ばね（刃枠の押上げばね）
６４  皮膚
Ｐ  本体部上面の中心
Ｑ  中心Ｐと外刃の中心（ｘ）を通る直線
Ｒ  外刃の中心（ｘ）を通り直線Ｑに直交する直線（揺動軸）
ｘ  回転中心軸線
【図１】
2007151925.tif 000003
【図２】
2007151925.tif 000004
【図３】
2007151925.tif 000005
【図４】
2007151925.tif 000006
【図５】
2007151925.tif 000007
【図６】
2007151925.tif 000008
【図７】
2007151925.tif 000009
【図８】
2007151925.tif 000010
【図９】
2007151925.tif 000011